(57)【特許請求の範囲】
【請求項１】
微粉炭バーナ内部の微粉炭管軸心部に設けられ、その外径は流入側が流出側外径（ｄ３）より小さく、同流入側は尖端角がほぼ９０°の裁頭円錐形で流れに沿って断面形状が徐々に拡大し、その後流れ方向に平行となった後、軸線に垂直な平面で終り、前記流出側外径（ｄ３）となるとともに、その軸線を中心に前後に貫通する切欠きスリットを有し、その切欠きスリットの寸法は流入側の直径を（ｄ１）、流出側の直径を（ｄ２）とし、前記微粉炭管の内径を（Ｄ）として、ｄ１  ＝（１／√２０）Ｄ、ｄ２  ＝（１／√５）Ｄ、ｄ３  ＝（１／√２）Ｄ〜（１／√３）Ｄの範囲にある濃淡分離器を具備してなることを特徴とする微粉炭セパレータ装置。
【請求項２】
前記濃淡分離器は、微粉炭管内部の軸心方向に設けたレールに沿って移動可能であることを特徴とする請求項１記載の微粉炭セパレータ装置。
【発明の詳細な説明】
【０００１】
【発明の属する技術分野】
本発明は産業用及び事業用ボイラの微粉炭焚きバーナに適用される微粉炭セパレータ装置に関する。
【０００２】
【従来の技術】
従来の微粉炭バーナの微粉炭セパレータ装置を図７、図８により説明する。図７は従来の装置の断面図、図８はその正面図で、そのＤ−Ｄ矢視図である。両図において、０１は微粉炭搬送配管、０２は微粉炭混合気、０３は分配器、０４はバーナ、０５は微粉炭管、０６はコンクバーナ、０７はウイークバーナ、０８は二次空気、０９は空気風箱、１０は微粉炭ノズル、１１は二次空気ノズルを示す。
【０００３】
前述の装置において、バーナ０４はＮＯｘを低下するために微粉炭濃度の高いコンクバーナ０６と微粉炭濃度の低いウイークバーナ０７を一組として構成している。又、コンクバーナ０６及びウイークバーナ０７はともに、中央に配置した微粉炭管０５とその周囲を角形で囲んだ空気風箱０９及び出口部に連結した角形の微粉炭ノズル１０、二次空気ノズル１１で構成される。
【０００４】
このような構成の装置において、一次空気とともに微粉炭搬送配管０１を介して搬送された微粉炭混合気０２は分配器０３の作用で、コンクバーナ０６とウイークバーナ０７へそれぞれ分配供給され、微粉炭管０５及び微粉炭ノズル１０を介して炉内へ噴射後、同じく二次空気ノズル１１を介して噴射された二次空気０８と混合拡散し、燃焼する。
【０００５】
【発明が解決しようとする課題】
前述の従来の微粉炭焚きバーナにおいては次のような課題がある。
【０００６】
（１）低ＮＯｘ化及び着火安定を計るには、前述のように燃料に濃淡をつけるコンクバーナ０６とウイークバーナ０７の組合せが最適であるが、このためにバーナパネル高さが大きくなり、耐用年数が低下し、かつダンパ数の増加によりバーナ０４全体の構造が複雑になる。
【０００７】
（２）微粉炭混合気０２の濃淡を調整する分配器０３構造が複雑である。
【０００８】
（３）上記（１）、（２）項により製作、制御、メンテナンス等において極めて煩雑となり、又コストアップの一要因となる。
【０００９】
【課題を解決するための手段】
本発明はこのような課題を解決するために、次の手段を提供する。
【００１０】
（１）微粉炭バーナ内部の微粉炭管軸心部に設けられ、その外径は流入側が流出側外径（ｄ３）より小さく、同流入側は尖端角がほぼ９０°の裁頭円錐形で流れに沿って断面形状が徐々に拡大し、その後流れ方向に平行となった後、軸線に垂直な平面で終り、前記流出側外径（ｄ３）となるとともに、その軸線を中心に前後に貫通する切欠きスリットを有し、その切欠きスリットの寸法は流入側の直径を（ｄ１）、流出側の直径を（ｄ２）とし、前記微粉炭管の内径を（Ｄ）として、ｄ１  ＝（１／√２０）Ｄ、ｄ２  ＝（１／√５）Ｄ、ｄ３  ＝（１／√２）Ｄ〜（１／√３）Ｄの範囲にある濃淡分離器を具備してなることを特徴とする微粉炭セパレータ装置。
【００１１】
（２）上記の（１）において、前記濃淡分離器は、微粉炭管内部の軸心方向に設けたレールに沿って移動可能であることを特徴とする微粉炭セパレータ装置。
【００１２】
本発明はこのような手段により、その（１）の手段において、微粉炭管を流れる微粉炭混合気のうち主に着火に寄与する領域は、微粉炭ノズル内面の循環にとり込まれる微粉炭流である。中央部を吹き抜ける微粉炭混合気はこれより遅れて火炎伝幡する。微粉炭管先端部に濃淡分離器を内蔵する事により、微粉炭管を通過中の微粉炭混合気中の微粉炭は中央に設置した濃淡分離器に衝突し、慣性力を付与され、微粉炭管内周面に集まり、微粉炭管内の外側は微粉炭濃度が高く、中央側は微粉炭濃度が低くなる。即ち、従来のコンクバーナ及びウイークバーナと同様の作用を行う。
【００１３】
又、濃淡分離器の軸心に対し中空切欠きスリットを設け、このスリットの寸法ｄ1 ，ｄ2 ，ｄ3 を微粉炭内径Ｄに対し、濃淡の分離効果が高まるような範囲の寸法としたので、一部の微粉炭流を導き、中央部で淡く、周辺部で濃度大となり、濃淡分離器後流側壁面に発生し易い、渦流によるよどみを解消し、均一な流速分布を形成し、濃淡分離効果を促進する。
【００１４】
又、微粉炭管、濃度分離器を丸型構造にすることにより、微粉炭混合気の濃淡分離が均等に行え、微粉炭ノズルからボイラ内への吹出しは円周方向に万遍なく、安定に供給できる。更に、微粉炭管ベンド出口後の微粉炭混合気は強い旋回流となっているが、ベンド出口にキッカブロック等を設置すれば、旋回力は緩和され、更に均一な微粉炭流を濃淡分離器に導くことができる。
【００１５】
（２）の手段においては、濃淡分離器をレールに沿って微粉炭管軸心の前後に移動できる構成としたので、炉の負荷に応じて位置を調整し、最適の位置で微粉炭流をバーナに導くことができ、上記（１）での効果をより一層高めるものである。
【００１６】
【発明の実施の形態】
以下、本発明の実施の形態について図面に基づいて具体的に説明する。図１は本発明の実施の一形態に係る微粉炭セパレータ装置の中心部の断面図、図２は図１におけるＡ−Ａ断面図、図３は図２におけるＢ−Ｂ断面図である。これら図において、従来の微粉炭セパレータ装置の構造と同一の部材については同符号を用いており、その詳しい説明は省略し、そのまま引用して説明するが、本発明の特徴となる部分は符号１２乃至１５に示す部分であり、以下、これらの部分について詳しく説明する。
【００１７】
これら図において、１２は微粉炭管０５に設けられたキッカブロック、１３は濃淡分離器、１４は移動用レール、１５は位置調整器であり、濃淡分離器１３は移動用レール１４に沿って前後に移動可能であり、位置調整器１５により操作される。
【００１８】
上記の特徴を備えた微粉炭セパレータ装置において、一次空気により、搬送された微粉炭混合気０２は、微粉炭管０５のベンド部で強い旋回流となり、遠心力によって、微粉炭流は横部（鉛直上向きで導入する場合は上部）に密集するが、ベンド出口横部（遠心力を受ける方向）に配置されたキッカブロック１２により旋回力は緩和され、再度分散されて、微粉炭濃度がほぼ均一な状態となって、濃淡分離器１３に導かれる。
【００１９】
その微粉炭混合気０２は濃淡分離器１３の作用（微粉炭は慣性力により、微粉炭管０５の内周面に密集する。）により、微粉炭管０５内で外側に微粉炭濃度の高い混合気、中央側に微粉炭濃度の低い混合気をそれぞれ形成し、微粉炭ノズル１０を経由して図示していないボイラ内に噴出し、安定した着火、保炎と低ＮＯｘ燃焼を行う。
【００２０】
又炭種変化、負荷変化等により生じる微粉炭ノズル１０近傍の微粉炭濃度アンバランス調整は位置調整器１５を操作して移動用レール１４上でこのレールに沿って濃淡分離器１３を前後に移動し最適な位置に導き行う。
【００２１】
更に、微粉炭セパレータ装置の最適な濃淡分離、及圧損を見出すため、キッカブロック１２の高さ（ｈ）と、微粉炭管径（Ｄ）との比又は濃淡分離器１３の中空径（ｄ1 ）、（ｄ2 ）と傾斜角（θ）の組合せ等を調整し行う。
【００２２】
図４，図５は本発明の実施の一形態の微粉炭セパレータ装置の作用、効果を説明するための図であり、図４は丸型微粉炭セパレータ装置の断面図、図５はそのＣ−Ｃ断面図である。両図において、Ｄは微粉炭管０５の直径、ｈはキッカブロック１２の高さ、θは濃淡分離器１３の傾斜角、ｄ1 ，ｄ2 は中空切欠きスリットの前流側の直径、後流側の直径をそれぞれ示し、又、ｄ3 は濃淡分離器１３の外径を示す。
【００２３】
上記のような微粉炭セパレータ装置において、微粉炭混合気０２の濃淡分離及び圧損に良好な値となる関係を示すと次のようになる。
【００２４】
（１）キッカブロックの高さｈは；ｈ＝０．２Ｄ〜０．３Ｄで、ｈ＝０．２４Ｄが好ましい。
【００２５】
（２）濃淡分離器の傾斜角θは；θ＝６０°〜９０°で、θ＝９０°が好ましい。
【００２６】
（３）中空切欠きスリットの前流側の直径ｄ1 は；ｄ1 ＝（１／√（１０））Ｄ〜（１／√（２０））Ｄで、ｄ1 ＝（１／√（２０））Ｄが好ましい。
【００２７】
（４）中空切欠きスリットの後流側の直径ｄ2 は；ｄ2 ＝（１／√（５））Ｄ〜（１／√（１０））Ｄで、ｄ2 ＝（１／√（５））Ｄが好ましい。
【００２８】
（５）濃淡分離器の外径ｄ3 は；ｄ3 ＝（１／√（１．５））Ｄ〜（１／√（３））Ｄで、ｄ3 ＝（１／√（２））Ｄが好ましい。
【００２９】
次に、濃淡分離器１３の寸法を種々変えて実験し、計測した微粉炭の濃度分布状況を図６によって説明する。図６の（ａ）はセパレータ装置の寸法関係を示す図、（ｂ）は（ａ）の装置において実験し、ノズル中心から端部までの微粉炭濃度分布を計測し、それらデータをプロットした図、（ｃ）は（ｂ）における記号の説明図で、それぞれケース▲１▼、▲２▼、▲３▼の３通りで、ｄ1 ，ｄ2 ，ｄ3 の寸法を変化させたものである。なお、上記の実験においては、θ＝９０°、微粉炭の粒径＝２００メッシュ（７５ミクロン）の通過率８５％、微粉炭の流速＝２０〜２６ｍ／ｓとして実施した試験結果である。
【００３０】
（ア）ケース▲１▼において、ｄ1 ＝（１／√（１５））Ｄ、ｄ2 ＝（１／√（３））Ｄ、ｄ3 ＝（１／√（１．５））Ｄのとき、四角の記号で示すように、中心と周辺で濃淡の差は幾分見られるものの濃度１．１５／１．４内にあり、濃淡分離効果は、あまり期待できない。なお、濃度は１．０が基準で、右方向が濃度大、左方向が淡いを表わす。
【００３１】
（イ）ケース▲２▼において、ｄ1 ＝（１／√（２５））Ｄ、ｄ2 ＝（１／√（７））Ｄ、ｄ3 ＝（１／√（３））Ｄのとき、黒丸の記号で示すように、周辺部の濃度は高い傾向にあるが、中心部では、略基準の１．０であり、分離度はやや不足気味である。
【００３２】
（ウ）ケース▲３▼において、ｄ1 ＝（１／√（２０））Ｄ、ｄ2 ＝（１／√（５））Ｄ、ｄ3 ＝（１／√（２））Ｄのとき、白丸の記号で示すように、中心部で極端に淡く、周辺部に近づくに従って、濃度大となり、理想的な分離効果が得られた。
【００３３】
上記のケース▲３▼の結果が最も良好であり、この実験結果に基づいて、前述の（１）〜（５）項に述べたような好ましい値が得られたものである。
【００３４】
濃淡分離器１３のバーナ方向への移動については、バーナ側に近づけると、一般的に濃淡分離は、よくなるが、火炎による焼損の心配がある。逆に遠ざけると、濃淡分離効果が低下する傾向にある。従って、炉の負荷に応じて出し入れの量を調整することが好ましい。
【００３５】
以上説明の実施の形態においては、従来の分配器０３に該当する濃淡分離器１３を、微粉炭管０５内に内蔵し、従来のコンクバーナ０６とウイークバーナ０７を一体化した構造とし、微粉炭管０５のベンド部で水平に向きを変えて、流れ方向に対して傾斜した面を有するキッカブロック１２を備え、さらに下流側には流れ方向に断面形状が広がり、その後水平をなし、軸心に対して直角な低面と、軸心中央部に中空切欠きスリットを設けた丸型濃淡分離器１３を具備、又下流先端には円形微粉炭ノズル１０を配置した丸型、微粉炭セパレータ装置を特徴としている。
【００３６】
このような実施の形態により、次のような作用、効果を有するものである。
【００３７】
（１）微粉炭管０５を流れる微粉炭混合気０２のうち主に着火に寄与する領域は、微粉炭ノズル１０内面の循環にとり込まれる微粉炭流である。中央部を吹き抜ける微粉炭混合気０２はこれより遅れて火炎伝幡する。微粉炭管０５先端部に濃淡分離器１３を内蔵する事により、微粉炭管０５を通過中の微粉炭混合気０２中の微粉炭は中央に設置した濃淡分離器１３に衝突し、慣性力を付与され、微粉炭管０５内周面に集まり、微粉炭管０５内の外側は微粉炭濃度が高く、中央側は微粉炭濃度が低くなる。
【００３８】
即ち、従来のコンクバーナ０６及びウイークバーナ０７と同様の作用を行う。又濃淡分離器１３の軸心に対し中空切欠きスリットを設け、一部の微粉炭流を導き、濃淡分離器１３の後流側壁面に発生し易い渦流によるよどみを解消し、均一な流速分布を形成し、濃淡分離効果を促進する。
【００３９】
（２）丸型構造であるため、微粉炭混合気０２の濃淡分離が均等に行え、微粉炭ノズル１０からボイラ内への吹出しは円周方向に万遍なく、安定に供給できる。
【００４０】
（３）微粉炭管０５ベンド出口後の微粉炭混合気０２は強い旋回流となっているがキッカブロック１２の設置により、旋回力は緩和され、均一な微粉炭流を濃淡分離器１３に導く。
【００４１】
（４）微粉炭管０５に対する濃淡分離器１３の寸法を特定することにより、理想的な濃度分布が得られる。
【００４２】
【発明の効果】
以上、具体的に説明したように、本発明は微粉炭管軸心部に濃淡分離器を設け、この濃淡分離器の軸線中心に切欠きスリットを設けると共に、この濃淡分離器の外形、切欠きスリットの寸法を所定の範囲に特定し、更に、この濃淡分離器は微粉炭管の軸心方向に移動可能な構成としたので、次のような効果を有する。
【００４３】
（１）コンクバーナとウイークバーナが一体化となり、バーナ数は減少し、又セパレータがコンパクトかつバーナ全体が簡略化されコスト低減となった。
【００４４】
（２）分離器の代りに濃淡分離装置が設けられたので、分離器が簡素化され、圧力損失が減少した。
【００４５】
（３）丸型構造の微粉炭セパレータ装置とすることにより微粉炭混合気のボイラ内への吹出しが円周方向に均等に万遍なく行えるため、局部的な熱負荷上昇が解消できる。
【００４６】
（４）濃淡分離器を所定の寸法とし、中空切欠きスリットを設けることにより、微粉炭の濃淡分離が理想的な分布で行なえる。
【図面の簡単な説明】
【図１】本発明の実施の一形態に係る微粉炭セパレータ装置の断面図である。
【図２】図１におけるＡ−Ａ断面図である。
【図３】図２におけるＢ−Ｂ断面図である。
【図４】本発明の実施の一形態に係る微粉炭セパレータ装置の形状説明図で、濃淡分離器の形状を示す断面図である。
【図５】図４におけるＣ−Ｃ断面図である。
【図６】本発明の実施の一形態に係る微粉炭セパレータ装置の実験結果を示し、（ａ）はセパレータ装置の形状を示す図、（ｂ）は（ａ）の装置での実験結果で、濃淡分布状況を示す図、（ｃ）は記号の説明図をそれぞれ示す。
【図７】従来の微粉炭セパレータ装置の断面図を示す。
【図８】図７におけるＤ−Ｄ矢視図を示す。
【符号の説明】
０２  微粉炭混合気
０５  微粉炭管
１０  微粉炭ノズル
１２  キッカブロック
１３  濃淡分離器
１４  移動用レール
１５  位置調整器
【図１】
0003670752.tif 000002
【図２】
0003670752.tif 000003
【図３】
0003670752.tif 000004
【図４】
0003670752.tif 000005
【図５】
0003670752.tif 000006
【図６】
0003670752.tif 000007
【図７】
0003670752.tif 000008
【図８】
0003670752.tif 000009